(57)【要約】【課題】  横架材に対する吊金具の取り付けをきわめて簡単でしかも強固に行なうこと。【解決手段】  横架材２は巾広の長側壁２ａと一対の巾狭の短側壁２ｂ、２ｂとを備えた型鋼材で構成されている。金具本体３ａは金具背部３ｃと一対のホールド部３ｄ、３ｄとを備えると共に、一対のホールド部３ｄ、３ｄの各先端に金具延長部３ｅが延設され、各金具延長部３ｅに第１ボルト孔４、金具背部３ｃに第２ボルト孔５がそれぞれ穿設されている。縦使いされる横架材２に水平方向Ｂから金具本体３ａを外嵌して横架材２を密着状態で抱きかかえると共に金具背部３ｃと横架材２の長側壁２ａとを隙間７をあけて対向させた状態で、第２ボルト孔５に調整ボルト６を締め込んでその先端で横架材２の長側壁２ａを押圧することで、金具本体３ａが横架材２に対して水平方向Ｂに位置決めされると共に、金具延長部３ｅの第１ボルト孔４に下方から吊ボルト３ｂが締結固定されている。【選択図】        図１
2005139636.tif 000002
【特許請求の範囲】
【請求項１】
天井部分に吊り下げられる垂れ壁、欄間、上吊り戸等の重量物を天井裏の横架材に吊金具を用いて取り付ける重量物の取付構造において、上記横架材は、巾広の長側壁とこの長側壁と直交し且つ互いに対向する一対の巾狭の短側壁とを備えた型鋼材によって構成され、上記吊金具は、横架材に外嵌される金具本体と、下部が重量物に固着され上部が金具本体に固着される吊ボルトとを備え、上記金具本体は、横架材の長側壁と対向する金具背部と、横架材の一対の短側壁の外面に沿って密着して抱きかかえる一対のホールド部とを備えると共に、一対のホールド部の各先端には上記一対の短側壁の各先端よりも長く延びた金具延長部がそれぞれ延設され、各金具延長部に第１ボルト孔、金具背部に第２ボルト孔がそれぞれ穿設され、上記横架材を長側壁が縦向きとなる縦使いとし、この縦使いされる横架材に水平方向から金具本体を外嵌して横架材を密着状態で抱きかかえると共に金具背部と横架材の長側壁とを隙間をあけて対向させた状態で、金具背部の第２ボルト孔に調整ボルトを締め込んで調整ボルトの先端で横架材の長側壁を押圧することで、金具本体が横架材に対して水平方向に位置決めされると共に、金具延長部の第１ボルト孔に下方から吊ボルトが締結固定されてなることを特徴とする重量物の取付構造。
【請求項２】
天井部分に吊り下げられる垂れ壁、欄間、上吊り戸等の重量物を天井裏の横架材に吊金具を用いて取り付ける重量物の取付構造において、上記横架材は、巾広の長側壁とこの長側壁と直交し且つ互いに対向する一対の巾狭の短側壁とを備えた型鋼材によって構成され、上記吊金具は、横架材に外嵌される金具本体と、金具本体を横架材に固定する固定ボルトと、下部が重量物に固着され上部が金具本体に固着される吊ボルトとを備え、上記金具本体は、横架材の長側壁と対向する金具背部と、横架材の一対の短側壁の外面に沿って密着して抱きかかえる一対のホールド部とを備えると共に、一対のホールド部の各先端には上記一対の短側壁の各先端よりも長く延びた金具延長部がそれぞれ延設され、各金具延長部に第１ボルト孔、金具背部に第２ボルト孔がそれぞれ穿設され、上記横架材を長側壁が横向きとなる横使いとし、この横使いされる横架材の下方から金具本体を外嵌して横架材を密着状態で抱きかかえると共に金具背部と横架材の短側壁の先端とを隙間をあけて対向させた状態で、横架材よりも上方に突出する金具延長部の第１ボルト孔に固定ボルトが水平方向から挿通されて、横架材の上面が固定ボルトにて上方から押圧保持されると共に、金具背部の第１ボルト孔に下方から吊ボルトが締結固定されてなることを特徴とする重量物の取付構造。
【発明の詳細な説明】
【技術分野】
【０００１】
本発明は、  天井部分に吊り下げられる垂れ壁、欄間、上吊り戸等の重量物を天井裏の横架材に吊金具を用いて取り付ける重量物の取付構造に関するものである。
【背景技術】
【０００２】
従来から、天井部分に吊り下げられる垂れ壁を天井裏の梁に対してコ字形吊金具を用いて取り付けることが知られている（例えば、特許文献１参照）。
【０００３】
ところが従来では、コ字形吊金具の下端部を垂れ壁の上部に挿入固定し、コ字形吊金具の上端部を天井裏の梁の下フランジに対して直接、ボルト止めしている。このため、梁の下フランジにボルト孔を孔あけ加工する必要があり、コ字形吊金具の取り付けに手間と時間がかかり、作業効率の低下をきたすという問題がある。
【特許文献１】特開平７−１９４４４７号公報
【発明の開示】
【発明が解決しようとする課題】
【０００４】
本発明は上記の従来の問題点に鑑みて発明したものであって、縦使いされる横架材に対する吊金具の取り付けをきわめて簡単でしかも強固に行なうことができる重量物の取付構造を提供することを課題とするものであり、また、横使いされる横架材の支持強度を高めることができると共に、横使いされる横架材に対する吊金具の取り付けをきわめて簡単でしかも強固に行なうことができる重量物の取付構造を提供することを課題とするものである。
【課題を解決するための手段】
【０００５】
上記課題を解決するために請求項１に係る発明にあっては、天井部分に吊り下げられる垂れ壁１ａ、欄間、上吊り戸等の重量物１を天井裏の横架材２に吊金具３を用いて取り付ける重量物の取付構造において、上記横架材２は、巾広の長側壁２ａとこの長側壁２ａと直交し且つ互いに対向する一対の巾狭の短側壁２ｂ、２ｂとを備えた型鋼材によって構成され、上記吊金具３は、横架材２に外嵌される金具本体３ａと、下部が重量物１に固着され上部が金具本体３ａに固着される吊ボルト３ｂとを備え、上記金具本体３ａは、横架材２の長側壁２ａと対向する金具背部３ｃと、横架材２の一対の短側壁２ｂ、２ｂの外面に沿って密着して抱きかかえる一対のホールド部３ｄ、３ｄとを備えると共に、一対のホールド部３ｄ、３ｄの各先端には上記一対の短側壁２ｂ、２ｂの各先端よりも長く延びた金具延長部３ｅがそれぞれ延設され、各金具延長部３ｅに第１ボルト孔４、金具背部３ｃに第２ボルト孔５がそれぞれ穿設され、上記横架材２を長側壁２ａが縦向きとなる縦使いとし、この縦使いされる横架材２に水平方向Ｂから金具本体３ａを外嵌して横架材２を密着状態で抱きかかえると共に金具背部３ｃと横架材２の長側壁２ａとを隙間７をあけて対向させた状態で、金具背部３ｃの第２ボルト孔５に調整ボルト６を締め込んで調整ボルト６の先端で横架材２の長側壁２ａを押圧することで、金具本体３ａが横架材２に対して水平方向Ｂに位置決めされると共に、金具延長部３ｅの第１ボルト孔４に下方から吊ボルト３ｂが締結固定されてなることを特徴としている。
【０００６】
このような構成とすることで、吊ボルト３ｂにかかる重量物１の荷重Ｇは、金具本体３ａを介して横架材２全体で受け止められる構造となると共に、横架材２を長側壁２ａが縦向きとなる縦使いとすることで、横架材２の強度が大幅に向上し、これにより垂れ壁１ａの支持強度を高めることができる。しかも、金具本体３ａで横架材２を抱きかかえた状態で吊ボルト３ｂを金具本体３ａに締結する方式を採用しているので、従来のように横架材（梁）の下フランジにボルト孔を孔あけ加工する必要がない。また、金具本体３ａのホールド部３ｄ、３ｄは横架材２の短側壁２ｂ、２ｂに密着して抱きかかえるため、金具本体３ａのぐらつきを防止できるようになり、さらに調整ボルト６によって横架材２に対する吊金具３の水平方向Ｂの位置決めが容易となり、そのうえ金具背部３ｃと横架材２の長側壁２ａとを隙間７をあけて対向させることで、横架材２と金具本体３ａとの間の寸法公差にも容易に対応できるようになる。この結果、横架材２に対する吊金具３の取り付けをきわめて簡単でしかも強固に行なえるようになる。
【０００７】
また請求項２に係る発明にあっては、天井部分に吊り下げられる垂れ壁１ａ、欄間、上吊り戸等の重量物１を天井裏の横架材２に吊金具３を用いて取り付ける重量物の取付構造において、上記横架材２は、巾広の長側壁２ａとこの長側壁２ａと直交し且つ互いに対向する一対の巾狭の短側壁２ｂ、２ｂとを備えた型鋼材によって構成され、上記吊金具３は、横架材２に外嵌される金具本体３ａと、金具本体３ａを横架材２に固定する固定ボルト８と、下部が重量物１に固着され上部が金具本体３ａに固着される吊ボルト３ｂとを備え、上記金具本体３ａは、横架材２の長側壁２ａと対向する金具背部３ｃと、横架材２の一対の短側壁２ｂ、２ｂの外面に沿って密着して抱きかかえる一対のホールド部３ｄ、３ｄとを備えると共に、一対のホールド部３ｄ、３ｄの各先端には上記一対の短側壁２ｂ、２ｂの各先端よりも長く延びた金具延長部３ｅがそれぞれ延設され、各金具延長部３ｅに第１ボルト孔４、金具背部３ｃに第２ボルト孔５がそれぞれ穿設され、上記横架材２を長側壁２ａが横向きとなる横使いとし、この横使いされる横架材２の下方から金具本体３ａを外嵌して横架材２を密着状態で抱きかかえると共に金具背部３ｃと横架材２の短側壁２ｂの先端とを隙間７をあけて対向させた状態で、横架材２よりも上方に突出する金具延長部３ｅの第１ボルト孔４に固定ボルト８が水平方向Ｂから挿通されて、横架材２の上面が固定ボルト８にて上方から押圧保持されると共に、金具背部３ｃの第１ボルト孔４に下方から吊ボルト３ｂが締結固定されてなることを特徴としている。
【０００８】
このような構成とすることで、吊ボルト３ｂにかかる重量物１の荷重Ｇは、金具本体３ａ及び固定ボルト８を介して横架材２全体で受け止められる構造となると共に、例えば天井スペースが低いために横架材２が横使いされる場合において、この横架材２の両端部を支持する梁間のスパンを短くすることで、横使いされる横架材２の強度を十分に確保できるようになり、結果として垂れ壁１ａの支持強度を高めることができる。しかも、金具本体３ａで横架材２を抱きかかえた状態で吊ボルト３ｂを金具本体３ａに締結する方式を採用すると共に、金具延長部３ｅの第１ボルト孔４に挿通される固定ボルト８によって横架材２の上面を上方から押圧保持するので、横架材２に対する金具本体３ａの鉛直方向Ａの位置決めが容易に行なえると共にぐらつきを防止できるものであり、さらに金具背部３ｃと横架材２の下面とを隙間７をあけて対向させることで、横架材２と金具本体３ａとの間の寸法公差にも容易に対応できるようになる。この結果、横架材２に対する吊金具３の取り付けをきわめて簡単でしかも強固に行なえるようになる。
【発明の効果】
【０００９】
本発明にあっては、縦使いされる横架材に対する吊金具の取り付けをきわめて簡単でしかも強固に行なうことができ、作業効率を大幅に向上させることができる。
【００１０】
また本発明にあっては、横使いされる横架材の支持強度を高めることができると共に、横使いされる横架材に対する吊金具の取り付けをきわめて簡単でしかも強固に行なうことができ、作業効率を大幅に向上させることができる。
【発明を実施するための最良の形態】
【００１１】
以下、本発明を添付図面に示す実施形態に基いて説明する。
【００１２】
図１（ａ）は縦使いされる横架材２に吊金具３を取り付けた状態の斜視図、同（ｂ）はその側面図であり、図２は金具本体３ａの斜視図であり、図３（ａ）は横架材２に吊金具３を用いて垂れ壁１ａを吊り下げた状態の側面図、同（ｂ）は正面図であり、図４は縦使いされる横架材２の両端部を２階の床梁２Ａ（以下「床梁」と称する）の下フランジ２ｄで支持した場合の一例を示している。図４の例では隣り合う床梁２Ａ、２Ａが４Ｐピッチのスパンで存在しており、これにより１階の天井領域を水平面内で補強するための水平ブレース９を図４のように配置できるため、水平ブレース９と床梁２Ａの下フランジ２ｄとの間に鉛直方向Ａに十分なスペースＳが存在することとなり、このスペースＳ内に横架材２を縦使いにして納めることが容易となる。なお図４中のＦは１階の天井面である。以下、縦使いされる横架材２に重量物１を取り付ける場合の一例を説明する。
【００１３】
本実施形態の横架材２は、図１に示すように、巾広の長側壁２ａと、長側壁２ａよりも巾狭の一対の短側壁２ｂ、２ｂと、一対の短側壁２ｂ、２ｂの各先端の一対のリップ部２ｃとが一体形成された断面縦長のリップ溝型鋼により構成されている。なお横架材２はリップ溝型鋼に限られず、Ｃ型鋼或いは角形鋼管などであってもよく、要するに、少なくとも巾広の長側壁２ａと一対の巾狭の短側壁２ｂ、２ｂとを備えた型鋼材であればよい。
【００１４】
また、重量物１としては、図３に示す垂れ壁１ａ（吊戸棚付きも含む）に限らず、欄間、上吊り戸等でもよい。垂れ壁１ａの場合において、上枠１ｃに吊ボルト３ｂの下部を貫通させてナット１ｄにて締結することで吊ボルト３ｂの下部に固着されている。また図４のように垂れ壁１ａを複数の吊金具３を用いて横架材２の複数箇所で吊り下げ支持するようにしている。
【００１５】
本実施形態の吊金具３は、図１（ａ）（ｂ）に示すように、横架材２に取り付けられる金具本体３ａと、下部が垂れ壁１ａに固着された吊ボルト３ｂとで構成されている。
【００１６】
金具本体３ａは、横架材２の長側壁２ａと対向する金具背部３ｃと、金具背部３ｃの両端部に連設される一対のホールド部３ｄ、３ｄとが一体形成されている。本実施形態では一対のホールド部３ｄ、３ｄ間の内寸法Ｌ１は、横架材２の一対の短側壁２ｂ、２ｂ間の外寸法Ｌ２と略同一に設定されており、これにより図１（ｂ）に示すように、一対のホールド部３ｄ、３ｄ間で一対の短側壁２ｂ、２ｂを抱きかかえた状態で保持できるようになっている。
【００１７】
さらに、一対のホールド部３ｄ、３ｄの各先端には各短側壁２ｂ、２ｂの先端よりも長く延びた金具延長部３ｅがそれぞれ延設されており、各金具延長部３ｅに第１ボルト孔４が穿設されている。第１ボルト孔４は吊ボルト３ｂがスライド挿通可能な孔形状をしている。また金具背部３ｃには第２ボルト孔５が穿設されている。この第２ボルト孔５には調整ボルト６が螺合する雌ネジが刻設されている。さらに一対のホールド部３ｄ、３ｄにはビス孔３５がそれぞれ穿設され、横架材２には上記ビス孔３５と対向するビス下穴が予め穿設されている。そして、ビス１０をビス孔３５からねじ込むことで、金具本体３ａを横架材２の水平方向Ｂ（図１（ｂ）の左右方向、及び図１（ｂ）の紙面に対して垂直な奥行き方向）に動かないように固定でき、これにより横架材２に対する吊金具３の水平方向Ｂのずれを防止できるようになっている。
【００１８】
また本実施形態では、横架材２のリップ部２ｃを吊ボルト３ｂに突き当てた状態で、横架材２の長側壁２ａと金具背部３ｃとの間に隙間７が生じており、この隙間７によって横架材２と金具本体３ａとの寸法公差にも容易に対応できるようになっている。つまり、隙間７は寸法公差を調整するための調整代であり、調整ボルト６の締め込みによって隙間７を設けた状態で横架材２に対して金具本体３ａを水平方向Ｂに位置決めするものである。また調整ボルト６は締め込んで調整ボルト６の先端で横架材２を圧迫することで、横架材２に対して金具本体３ａがぐらつくのを防止する働きをする。なお調整ボルト６は例えば十字穴付き六角ボルトが使用される。
【００１９】
次に、垂れ壁１ａを縦使いされる横架材２に吊り下げるにあたって、先ず縦使いされる横架材２に水平方向Ｂから金具本体３ａを外嵌して横架材２を密着状態で抱きかかえると共に金具背部３ｃと横架材２の長側壁２ａとを隙間７をあけて対向させた状態とし、この状態で金具背部３ｃの第２ボルト孔５から調整ボルト６を締め込んで調整ボルト６の先端で横架材２の長側壁２ａを押圧することで、金具本体３ａが横架材２に対して水平方向Ｂ（隙間７の方向）に位置決めすると共に、ビス１０を金具本体３ａのホールド部３ｄ、３ｄに設けたビス孔３５から横架材２のビス下穴に締め込むことによって、金具本体３ａを横架材２に対して水平方向Ｂに動かないように固定する。その後、上下の金具延長部３ｅ、３ｅの各第１ボルト孔４に吊ボルト３ｂの上部を挿通して上下からナット１１、１１にて締結する。これにより横架材２への吊金具３の取り付けが完了する。
【００２０】
しかして、吊ボルト３ｂにかかる垂れ壁１ａの荷重Ｇは、金具本体３ａを介して横架材２全体で受け止められる構造となると共に、横架材２を長側壁２ａが縦向きとなる縦使いとすることで、横架材２の強度が大幅に向上し、これにより垂れ壁１ａの支持強度を高めることができる。しかも、金具本体３ａで横架材２を抱きかかえた状態で吊ボルト３ｂを金具本体３ａにナット１１で締結する方式を採用しているので、従来のように横架材（梁）の下フランジにボルト孔を孔あけする必要がなく、しかも、金具本体３ａのぐらつきを防止できるようになり、さらに調整ボルト６によって横架材２に対する吊金具３の水平方向Ｂの位置決めも容易となる。この結果、横架材２に対する吊金具３の取り付けをきわめて簡単でしかも強固に行なえるものである。また仮りに横架材２と金具本体３ａとの間に寸法公差があっても、横架材２の長側壁２ａと金具背部３ｃとの間に隙間７（調整代）を設けているため、この隙間７によって該寸法公差に十分に対応できるようになると共に、調整ボルト６の締め込みによって図１（ｂ）の隙間７を設けたままの状態でも、横架材２に対して金具本体３ａを水平方向Ｂに確実に位置決めできるという利点もある。
【００２１】
上記横架材２は強度を確保するために前記実施形態のような縦使いとするのが望ましいが、例えば図５のように、床梁２Ｂ，２Ｂの間に床小梁２Ｃを配置して２階の床パネル１９の中央下面を床小梁２Ｃで支持する場合のように、床梁２Ｂと床小梁２Ｃとが２Ｐピッチで存在している場合にあっては、天井領域を水平面内で補強するための水平ブレース９を図５のように配置するしかなく、このため水平ブレース９と床梁２Ｂの下フランジ２ｅとの間で鉛直方向ＡのスペースＳ’（＞図４のスペースＳ）が狭くなり、横架材２を長側壁２ａが横向きとなる横使いとせざるを得なくなる。つまり、横架材２を横使いする理由は、水平ブレース９と床梁２Ｂの下フランジ２ｅとの間の上下のスペースＳ’が狭いことであり、横使いする条件は横架材２の両端部を支持する床梁２Ｂと床小梁２Ｃとの間のスパンが短いことである。なお図５中のＦは天井面である。以下、横使いされる横架材２に垂れ壁１ａを取り付ける場合を説明する。
【００２２】
図６及び図７は、前記縦使いされる横架材２に取り付けられた吊金具３をそのまま横使いされる横架材２に使用する場合の一例を示している。本例の吊金具３は、金具本体３ａと吊ボルト３ｂ以外に、金具本体３ａを横架材２に固定するための固定ボルト８を備えている。そして、第１ボルト孔４を固定ボルト８の挿通孔として用い、金具背部３ｃに設けられる第２ボルト孔５を吊ボルト３ｂの締結孔として用いるものである。他の構成は図１〜図３の実施形態と同様であり、対応する部分には同一符号を付して詳細な説明は省略する。
【００２３】
本例では、垂れ壁１ａを横使いされる横架材２に吊り下げるにあたって、先ず、横架材２の下方から金具本体３ａを外嵌して横架材２を密着状態で抱きかかえると共に金具背部３ｃと横架材２の短側壁２ｂの先端とを隙間７をあけて対向させた状態とし、この状態で横架材２よりも上方に突出する金具延長部３ｅの第１ボルト孔４に固定ボルト８を水平方向Ｂから挿通して、ナット１２にて締結することで横架材２の上面を固定ボルト８にて上方から押圧保持する。さらに、ビス１０を金具本体３ａのホールド部３ｄ、３ｄのビス孔３５から横架材２のビス下穴に締め込むと共に、金具背部３ｃの第２ボルト孔５に吊ボルト３ｂの上部を下方からねじ込み締結することにより、横架材２への吊金具３の取り付けが完了する。
【００２４】
しかして、吊ボルト３ｂにかかる垂れ壁１ａの荷重Ｇは、金具本体３ａ及び固定ボルト８を介して横架材２全体で受け止められる構造となる。従って、例えば図５のように天井スペースＳ’が狭いために横架材２が横使いされる場合には、床梁２Ｂと床小梁２Ｃとの間のスパンを短くすることで、横架材２の強度を十分に確保できるようになり、結果として垂れ壁１ａの支持強度を高めることができる。しかも、金具本体３ａで横架材２を抱きかかえた状態で吊ボルト３ｂを金具本体３ａに締結する方式を採用すると共に、金具延長部３ｅの第１ボルト孔４に挿通される固定ボルト８によって横架材２の上面を上方から押圧保持するので、横架材２に対する金具本体３ａの鉛直方向Ａの位置決めが容易に行なえる。さらにビス１０によって横架材２に対する吊金具３の水平方向Ｂ及び鉛直方向Ａのずれをそれぞれ防止できるようになる。この結果、横架材２に対する吊金具３の取り付けをきわめて簡単でしかも強固に行なえるようになる。
【００２５】
また仮りに横架材２と金具本体３ａとの間に寸法公差があっても、横架材２のリップ部２ｃと金具背部３ｃとの間に鉛直方向Ａの隙間７（調整代）を設けているため、この隙間７によって該寸法公差に十分に対応できるようになると共に、固定ボルト８によって図６（ｂ）の上下の隙間７を設けたままの状態でも、横架材２に対して金具本体３ａを鉛直方向Ａに確実に位置決めできるという利点もある。
【００２６】
また本例では、金具延長部３ｅの第１ボルト孔４が固定ボルト８の挿通孔として用いられ、第２ボルト孔５が吊ボルト３ｂの締結孔として用いられるので、縦使いの横架材２に対して使用される吊金具３をそのまま横使いの横架材２に対して共用できるものであり、１種類の吊金具３で縦使いと横使いを兼用でき、コスト面及び作業効率面でもきわめて有利である。
【００２７】
図８〜図１１は更に他の実施形態である。天井裏スペースが十分に高い場合は、横架材２の上方に、補強用横架材２０を直交方向に縦使い状態で配置し、横架材２と補強用横架材２０とを第２の吊金具３’を用いて連結するようにしてもよい。本例の補強用横架材２０は床梁２Ａ（図４）と平行に配置される。また第２の吊金具３’は、横架材２の吊金具３（図１〜図３）と基本的に同一構造であり、上下一対の金具本体３ａ’，３ａ”と、１本の吊ボルト３ｂ’とで構成されている。他の構成は図１〜図３の実施形態と同様であり、対応する部分には同一符号を付して詳細な説明は省略する。先ず、下方の金具本体３ａ’を横架材２を抱きかかえる状態で外嵌し、上方の金具本体３ａ”を補強用横架材２０を抱きかかえる状態で外嵌し、吊ボルト３ｂ’の下部を下方の金具本体３ａ’のボルト孔に挿通して一対のナット１３にて締結し、さらに吊ボルト３ｂ’の上部を上方の金具本体３ａ”のボルト孔に挿通して一対のナット１４にて締結する。さらに調整ボルト６を下方の金具本体３ａ’の第２ボルト孔５（図１１）に締め込むと共に、別の調整ボルト６を上方の金具本体３ａ”の第２ボルト孔５（図９）に締め込んで、各金具本体３ａ’，３ａ”をそれぞれ水平方向に位置決めする。これにより、補強用横架材２０によって横架材２を補強でき、横架材２の支持強度をより高めることができる。なお図１０中の７０は野縁である。
【００２８】
一方、天井裏スペースが低い場合には、図１２、図１３に示すように、横架材２の上方に、補強用横架材２０を直交方向に横使い状態で配置し、横架材２と補強用横架材２０とを第２の吊金具３’を用いて連結するようにしてもよい。本例の補強用横架材２０は床梁２Ｂ或いは床小梁２Ｃ（図５）と平行に配置される。また、第２の吊金具３’は、横架材２の吊金具３（図１〜図３）と基本的に同一構造であり、上下一対の金具本体３ａ’，３ａ”と、１本の吊ボルト３ｂ’と、１本の固定ボルト８０とで構成されている。なお図１２中の７０は野縁である。他の構成は図１〜図３の実施形態と同様であり、対応する部分には同一符号を付して詳細な説明は省略する。先ず、下方の金具本体３ａ’を水平方向から横架材２を抱きかかえる状態で外嵌し、上方の金具本体３ａ”を補強用横架材２０を下方から抱きかかえる状態で外嵌し、吊ボルト３ｂ’の下部を下方の金具本体３ａ’の第１ボルト孔４，４に挿通して一対のナット１５にて締結し、吊ボルト３ｂ’の上部を上方の金具本体３ａ”の下側の第１ボルト孔４に下方からねじ込み締結する。さらに上方の金具本体３ａ”の左右のボルト孔に固定ボルト８０を水平方向から挿通して一対のナット１６にて締結する。さらにビス１０、調整ボルト６によって上下の各金具本体３ａ’、３ａ”を左右及び上下方向に位置決め保持する。これにより、横使いされる補強用横架材２０によって横架材２を補強できるようになる。
【００２９】
前記各実施形態では、横架材２の両端部を床梁２Ａ、２Ｂ（或いは床小梁２Ｃ）に取り付ける場合を説明したが、屋根梁に取り付ける場合も同様に適用可能である。
【００３０】
更に他の実施形態として、図１４に示すように、屋根トラス５０の下弦材５１に横架材２を取り付けるようにしてもよい。他の構成は図６、図７の実施形態と同様であり、対応する部分には同一符号を付して詳細な説明は省略する。図１４の例では、横架材２の両端部を床受金物５２を用いて下弦材５１に取り付けるようにしている。なお図１４中の５３はスペーサ、５４はトラス補強金物、５５はトラス補強用斜材である。また図１４の例では横使いされる横架材２を例示しているが、屋根裏スペースに余裕がある場合は、横架材２を縦使いすることも可能である。
【図面の簡単な説明】
【００３１】
【図１】本発明の一実施形態を示し、（ａ）は斜視図、（ｂ）は側面図である。
【図２】同上の金具本体の斜視図である。
【図３】（ａ）は同上の垂れ壁を吊金具を介して横架材に取り付けた状態の側面図、（ｂ）は正面図である。
【図４】同上の横架材を縦使いする場合の概略図である。
【図５】同上の横架材を横使いする場合の概略図である。
【図６】他の実施形態であり、（ａ）は横使いする横架材に吊金具を取り付けた状態の斜視図、（ｂ）は側面図である。
【図７】（ａ）は同上の垂れ壁を吊金具を介して横使いされる横架材に取り付けた状態の側面図、（ｂ）は正面図である。
【図８】更に他の実施形態であり、縦使いされる補強用横架材を用いて横架材を補強する場合の斜視図である。
【図９】図８の側面図である。
【図１０】図８の縦使いされる補強用横架材を用いた構造を適用した場合の全体の斜視図である。
【図１１】図９の実施形態を異なる方向から見た側面図である。
【図１２】更に他の実施形態であり、横使いされる補強用横架材を用いて横架材を補強する場合の他例の斜視図である。
【図１３】図１２の側面図である。
【図１４】更に他の実施形態であり、横架材が屋根トラスの下弦材である場合の斜視図である。
【符号の説明】
【００３２】
１  重量物
１ａ  垂れ壁
２  横架材
２ａ  長側壁
２ｂ  短側壁
３  吊金具
３ａ  金具本体
３ｂ  吊ボルト
３ｃ  金具背部
３ｄ  ホールド部
３ｅ  金具延長部
４  第1ボルト孔
５  第２ボルト孔
６  調整ボルト
８  固定ボルト
Ａ  鉛直方向
Ｂ  水平方向
【図１】
2005139636.tif 000003
【図２】
2005139636.tif 000004
【図３】
2005139636.tif 000005
【図４】
2005139636.tif 000006
【図５】
2005139636.tif 000007
【図６】
2005139636.tif 000008
【図７】
2005139636.tif 000009
【図８】
2005139636.tif 000010
【図９】
2005139636.tif 000011
【図１０】
2005139636.tif 000012
【図１１】
2005139636.tif 000013
【図１２】
2005139636.tif 000014
【図１３】
2005139636.tif 000015
【図１４】
2005139636.tif 000016